【事件の表示】
　特願２０１０−１５９８２１号「遊技機」拒絶査定不服審判事件〔平成２４年　２月　２日出願公開、特開２０１２−　１９９３９号〕について、次のとおり審決する。
【結　論】
　本件審判の請求は、成り立たない。
【理　由】
第１　手続の経緯
　本願は、平成２２年７月１４日の出願であって、平成２６年４月８日付けで手続補正がなされたが、平成２６年１０月３１日（発送日：１１月５日）付けで拒絶査定がなされ、これに対して、平成２７年２月２日付けで拒絶査定不服審判の請求がなされるとともに手続補正（以下、「本件補正」という。）がなされたものである。 
第２　本件補正についての補正却下の決定
［補正却下の決定の結論］
　本件補正を却下する。
 
［理由］
１．本件補正の概要
　本件補正は特許請求の範囲の請求項１の記載についての補正であり、平成２６年４月８日付けの手続補正と本件補正の特許請求の範囲の請求項１の記載はそれぞれ、以下のとおりである（下線部は補正箇所を示す。）。
　
（補正前：平成２６年４月８日付け手続補正）
「【請求項１】
　遊技盤を有し、遊技者によって遊技される遊技機であって、
　第１表示画面を有し、前記遊技盤に固定された第１画像表示器と、
　遊技者の入力操作を受け付ける入力手段と、
　第２表示画面を有し、前記入力手段により受け付けられた入力操作に応じて、駆動手段からの駆動力を受けて前記第１表示画面に沿って移動する第２画像表示器と、
　前記第２表示画面の位置が、前記第１表示画面に変動表示されている装飾図柄との位置関係において所定の位置であるか否かを判定する位置判定手段と、
　前記位置判定手段によって前記所定の位置であると判定された場合に、前記変動表示されている装飾図柄の停止する図柄に関連する画像であるサブ画像を、前記第２表示画面に表示させる表示制御手段と、
　前記入力手段により受け付けられた入力操作に応じて前記第２画像表示器が移動可能であることを報知する報知手段とを備える、遊技機。」
（補正後：本件補正である平成２７年２月２日付け手続補正） 
「【請求項１】
　遊技盤を有し、遊技者によって遊技される遊技機であって、
　第１表示画面を有し、前記遊技盤に固定された第１画像表示器と、
　遊技者の入力操作を受け付ける入力手段と、
　第２表示画面を有し、前記入力手段により受け付けられた入力操作に応じて、駆動手段からの駆動力を受けて前記第１表示画面に沿って移動する第２画像表示器と、
　前記第２表示画面の位置が、前記第１表示画面に変動表示されている装飾図柄との位置関係において所定の位置であるか否かを判定する位置判定手段と、
　前記位置判定手段によって前記所定の位置であると判定された場合に、前記変動表示されている装飾図柄の停止する図柄に関連する画像であるサブ画像を、前記第２表示画面に表示させる表示制御手段と、
　前記入力手段により受け付けられた入力操作に応じて前記第２画像表示器が移動可能であることを報知する報知手段とを備え、
　
前記変動表示されている装飾図柄は、複数の変動表示されている装飾図柄のうち最後に停止する装飾図柄であり、
　
前記サブ画像は、前記変動表示されている装飾図柄が大当たり発生を報知する図柄で停止する確率を示す画像であ
２．補正の適否　　
　審判請求時の補正によって、請求項１の記載は、上記１．の下線部のように補正された。すなわち、補正後の請求項１は、補正前の請求項１に記載された発明特定事項である「サブ画像」に関連する「装飾図柄の停止する図柄」を「前記変動表示されている装飾図柄は、複数の変動表示されている装飾図柄のうち最後に停止する装飾図柄」と限定するとともに、「サブ画像」の内容を「前記サブ画像は、前記変動表示されている装飾図柄が大当たり発生を報知する図柄で停止する確率を示す画像」と限定するものである。
　そして、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、新規事項を追加するものではない。
　
３．独立特許要件
　そこで、本件補正後の前記請求項１に記載された発明が特許出願の際独立して特許を受けることができるものであるか否か、すなわち、特許法第１７条の２第６項において準用する同法第１２６条第７項の規定に適合するか否か、について以下に検討する。
（１）本件補正後の請求項１に係る発明
　補正後の請求項１に係る発明（以下、「本願補正発明」という。）は、上記１の本件補正の概要において示したとおりのものである。
（２）刊行物に記載された事項
（２−１）刊行物１
　原査定の拒絶の理由に引用された本願の出願前に頒布された刊行物である「特開２００５−３１２５１５号公報」（以下、「刊行物１」という。）には、図面と共に次の事項が記載されている（下線は当審で付した。）。
（ア）「【特許請求の範囲】
【請求項１】
　所定の遊技領域に遊技球が入球すると、特別遊技に移行するか否かの判定を行い、該判定結果に基づいて画像表示装置の画像を変動表示して上記判定結果を遊技者に報知せしめる弾球遊技機において、
　上記画像表示装置を、遊技盤に固定された主表示装置と、該主表示装置の近接位置に設けられ、かつ
駆動手段により上記主表示装置の周辺および主表示装置の表示部前方を移動可能に設置された副表示装置
　
上記主表示装置の表示画像を制御せしめる主表示制御手段と、上記副表示装置の表示画像を制御せしめる副表示制御手段と、上記駆動手段による副表示装置の移動を制御する移動制御手段とを備え、
　上記主表示装置および副表示装置とで上記判定結果を報知せしめるようになした弾球遊技機。
【請求項２】
　上記駆動手段は、上記主表示装置の上縁に沿って横方向に設けられた第１の駆動装置と、上記第１の駆動装置と連結されて縦方向に設けられた第２の駆動装置とを備え、上記
第１の駆動装置により上記副表示装置を上記主表示装置の上縁に沿って左右方向に移動可能とし、上記第２の駆動装置により上記副表示装置を上記主表示装置の上方位置と上記主表示装置の表示部前方位置との間を上下方向に移動可能となす
【請求項３】
　上記副表示装置には、有機エレクトロミネッセンス（ＥＬ）表示器を用いた請求項１または２に記載の弾球遊技機。
【請求項４】
　
遊技者により、上記副表示装置の移動制御あるいは副表示装置の画像表示制御を実行可能な操作スイッチを備えた
（イ）「【００１７】
　上皿１２１の左側の膨出部の上面には、後述の
副表示装置の移動制御または副表示装置の画像表示制御を操作可能とする操作スイッチたる押しボタンスイッチ１３５が設けられている。
・・・
【００２０】
　
図２は本弾球遊技機の遊技盤２１を示す。
【００２１】
　図２に示すように、
遊技盤２１の盤面上には
特別画像表示装置６４が設けられ
・・・
【００２５】
　
特別画像表示装置６４は、
主表示装置６４１と、
副表示装置６５１とを備えている。
特別画像表示装置６４は、
主表示装置６４１の表示部６４２が臨むように位置合わせし
（ウ）「【００５２】
　また図１０に示すように、
遊技者が操作スイッチたる押しボタンスイッチ１３５を操作することにより、副表示装置６５１の表示を制御させるようにしてもよい。
遊技者に押しボタンスイッチ１３５を操作すること勧める画面Ｔを表示して、押しボタンスイッチ１３５が有効となる時間を設定する。
（エ）「【００５５】
　副表示装置６５１に特別図柄を擬似的に表示する他の事例として、例えば
図１３に示すように、
主表示装置６４１の特別図柄Ｄ１，Ｄ２，Ｄ３の変動を見せるようにしておく。その後、特別図柄Ｄ１，Ｄ３，Ｄ２を順に停止表示させ、特別図柄Ｄ１のみが揃わないハズレの組合わせを表示する。次に副表示装置６５１に主表示装置６４１の特別図柄Ｄ２，Ｄ３と同一で大当りとなる疑似図柄Ｄ４を表示させる（図では背景をハニカム状に表す）。
【００５６】
　更に他の事例として
図１４に示すように、副表示装置６５１に特別図柄Ｄ２に代わる疑似図柄Ｄ４を表示させ、リーチ状態からハズレ表示となった場合に、主表示装置６４１に表示されたキャラクタＣ９が疑似図柄Ｄ４を変更しようと攻撃をかける表示演出を行う。
（オ）「【００６２】
　また本実施形態では、主制御装置６１からの指令を中継してこれを特別画像表示装置６４へ送るサブ統合基板６６で、
位置検出スイッチ７５２からの副表示装置６５１の位置検出信号や押しボタン１３５の入力信号を受信し、サブ統合基板６６により第１および第２の電動モーター５１４，５２３を制御して副表示装置６５１を移動させるようにしたので、副表示装置６５１の移動制御と、主表示装置６４１の表示内容および副表示装置６５１の表示内容とをずれなく制御させることができ、主表示装置６４１および副表示装置６５１の関連性のある表示演出がスムーズにできる。
【００６３】
　尚、位置検出スイッチ７５２は、副表示装置６５１が上記待機位置にあるか否かを検出するもので、副表示装置６５１を移動させるときに、副表示装置６５１が待機位置にあるか否かを確認し、待機位置にあることが確認されてから副表示装置６５１を移動させるようにする。もし、何らかの問題が発生して、副表示装置６５１が待機位置にないときは、一旦、副表示装置６５１を待機位置に戻してから主制御装置６１の指令に従って副表示装置６５１を移動させる。これにより確実な副表示装置６５１の移動制御ができる。
【００６４】
　図１５は、本発明を適用した弾球遊技機の他の電気的な接続構造を示すブロック図で、基本構造は先の実施形態の構造とほぼ同じで、相違点を中心に説明し、図において同一部材を同一符号で表し、それらの説明を省略する。本接続構造は、
特別画像表示装置６４の画像制御基板６４ａに、副表示装置６５１の位置を検出する位置検出スイッチ７５２の信号入力部と、上記押しボタンスイッチ１３５の信号入力部、第１および第２の電動モーター５１４，５２３の駆動出力部を設け、画像制御基板６４ａにより、主表示装置６４１および副表示装置６５１の表示制御と、副表示装置６５１の移動制御とを実行させるようにしたものである。これによれば、関連性の高い両表示装置６４１，６５１の表示演出と副表示装置６５１の移動とをずれなくスムーズに制御させることができる。
（カ）上記（イ）には、【００２０】に、遊技盤２１を有する弾球遊技機が記載され、【００２１】に、遊技盤２１の盤面上には特別画像表示装置６４が設けられることが記載されている。そして、【００２５】に、特別画像表示装置６４は、主表示装置６４１と、表示部６５２を有した副表示装置６５１とを備えていることが記載されている。
　以上から、
遊技盤２１を有する弾球遊技機であって、前記遊技盤２１に表示器を有した主表示装置６４１が設けられている
（キ）上記（ア）の【請求項４】、上記（イ）の【００１７】によれば、弾球遊技機は
遊技者により、副表示装置の移動制御あるいは副表示装置の画像表示制御を実行可能な操作スイッチたる押しボタンスイッチ１３５を備え
（ク）上記（ア）の【請求項１】、【請求項２】、上記（イ）の【００１７】によれば、操作スイッチたる押しボタンスイッチ１３５の操作により、副表示装置は第１の駆動装置により主表示装置の上縁に沿って左右方向に移動可能とし、上記第２の駆動装置により上記副表示装置を上記主表示装置の上方位置と上記主表示装置の表示部前方位置との間を上下方向に移動可能であるから、
ボタンスイッチ１３５の操作により、駆動装置によって副表示装置は主表示装置に沿って、左右、上下に移動可能である
（ケ）上記（ウ）には、「遊技者が操作スイッチたる押しボタンスイッチ１３５を操作することにより、副表示装置６５１の表示を制御させるようにしてもよい。例えば、図１０（Ａ）（Ｂ）（Ｃ）（Ｄ）に示すように、主制御装置６４１が特別図柄Ｄ１，Ｄ２，Ｄ３変動中に、遊技者に押しボタンスイッチ１３５を操作すること勧める画面Ｔを表示して、押しボタンスイッチ１３５が有効となる時間を設定する。」と記載されているから、
操作することを勧める画面Ｔの表示は、遊技者にボタンスイッチ１３５の操作により副表示装置６５１が画像表示制御されることを報知するもの
（コ）上記（オ）には、「位置検出スイッチ７５２からの副表示装置６５１の位置検出信号や押しボタン１３５の入力信号を受信し、サブ統合基板６６により第１および第２の電動モーター５１４，５２３を制御して副表示装置６５１を移動させる」ことが記載されている。
　そして、上記（エ）の【００５５】には、「図１３に示すように、・・・特別図柄Ｄ１，Ｄ３，Ｄ２を順に停止表示させ、特別図柄Ｄ１のみが揃わないハズレの組合わせを表示する。次に副表示装置６５１に主表示装置６４１の特別図柄Ｄ２，Ｄ３と同一で大当りとなる疑似図柄Ｄ４を表示させる（図では背景をハニカム状に表す）。そして副表示装置６５１は疑似図柄Ｄ４の表示状態と非表示状態とを交互に切り換える。」と記載されている。そして、【図１３】をみれば、特別図柄Ｄ１の停止位置に副表示装置６５１の疑似図柄Ｄ４を表示させていることがわかる。
　一方、上記（エ）の【００５６】には、「図１４に示すように、副表示装置６５１に特別図柄Ｄ２に代わる疑似図柄Ｄ４を表示させ、リーチ状態からハズレ表示となった場合に、主表示装置６４１に表示されたキャラクタＣ９が疑似図柄Ｄ４を変更しようと攻撃をかける表示演出を行う。」と記載されている。
　したがって、図１３において、主表示装置６４１の特別図柄Ｄ１の位置に副表示装置６５１の疑似図柄Ｄ４を表示させ、図１４において、主表示装置６４１の特別図柄Ｄ２の位置に副表示装置６５１の疑似図柄Ｄ４を表示させている。そして、これらの所定の特別図柄（図１３の特別図柄Ｄ１、図１４の特別図柄Ｄ２）は、最終的に変化する可能性があるから、変動表示する特別図柄Ｄ１、Ｄ２、Ｄ３のうち最後に停止する特別図柄といえる。
　以上より、
副表示装置６５１は位置検出スイッチ７５２や押しボタンスイッチ１３５の信号により、主表示装置６４１の変動表示する特別図柄Ｄ１，Ｄ３，Ｄ２の所定の特別図柄の位置に移動し、所定の特別図柄の停止位置において疑似図柄Ｄ４を表示させる手段を備え、前記所定の特別図柄は変動表示する特別図柄のうち最後に停止する特別図柄である
　したがって、上記（ア）から（コ）の記載事項、認定事項を総合すると、上記刊行物１には次の発明（以下、「引用発明」という。）が記載されている。
「遊技盤２１を有する弾球遊技機であって、
　表示器を有し、前記遊技盤２１に設けられた主表示装置６４１と、
　遊技者により、副表示装置６５１の移動制御あるいは副表示装置６５１の画像表示制御を実行可能な押しボタンスイッチ１３５と、
　ボタンスイッチ１３５の操作により、駆動装置によって主表示装置６４１に沿って、左右、上下に移動可能である副表示装置６５１と、
　副表示装置６５１は位置検出スイッチ７５２や押しボタンスイッチ１３５の信号により、主表示装置６４１の変動表示する特別図柄Ｄ１，Ｄ３，Ｄ２の所定の特別図柄の位置に移動し、所定の特別図柄の停止位置において疑似図柄Ｄ４を表示させる手段を備え、
　前記所定の特別図柄は変動表示する特別図柄のうち最後に停止する特別図柄であり、
　操作することを勧める画面Ｔの表示により、遊技者にボタンスイッチ１３５の操作により副表示装置６５１が画像表示制御されることを報知する、遊技機。」
（２−２）刊行物２
　当審で新たに引用する本願の出願前に頒布された刊行物である「特開２００８−２９５４４号公報」（以下、「刊行物２」という。）には、図面と共に次の事項が記載されている（下線は当審で付した。）。
（ア）「【発明を実施するための最良の形態】
【００２９】
　以下、図面を参照しつつ、本発明の一実施形態を詳細に説明する。図１は、本実施例におけるパチンコ遊技機１の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２にはガイドレールによって囲まれた、ほぼ円形状の遊技領域が形成されている。この遊技領域内の所定位置には、各々が識別可能な複数種類の特別図柄を変動可能に表示（可変表示）する特別図柄表示装置４が設けられている。なお、特別図柄表示装置４の設置位置は、遊技領域内の所定位置に限定されず、遊技領域外の所定位置であってもよい。
【００３０】
　
図１に示すパチンコ遊技機１における遊技領域の中央位置には、複数種類の演出画像（第１の演出画像）を含む各種画像の表示を行う第１画像表示装置５Ａが設けられている。また、第１画像表示装置５Ａとは別個に、複数種類の演出画像（第２の演出画像）を含む各種画像の表示を行う第２画像表示装置５Ｂが設けられている。
（イ）「【０１０９】
　具体的な一例として、大当り予告＃１〜＃３の大当り予告パターンのいずれかが選択されたことに対応して、第２画像表示装置５Ｂでは、図１６（Ａ）〜（Ｃ）に示すような表示動作が行われる。図１６（Ａ）に示す大当り予告＃１の表示動作では、第２画像表示装置５Ｂの表示画面全体に所定の模様を示す演出画像を表示させる。
図１６（Ｂ）に示す大当り予告＃２の表示動作では、第２画像表示装置５Ｂの表示画面に、第１画像表示装置５Ａで行われている飾り図柄の可変表示におけるリーチの信頼度を報知する文字情報を表示させる。このような大当り予告＃２の表示動作を行わせることにより、リーチの信頼度というパチンコ遊技機１における遊技に関する情報を遊技者に提供することができる。
出画像であればよい。なお、大当り予告となる予告演出表示は、第２画像表示装置５Ｂでの表示動作により行われるものに限定されず、第１画像表示装置５Ａでの表示動作により行われるものであってもよい。」
（３）対比
　本願補正発明と引用発明とを対比する。
（ａ）引用発明の「遊技盤２１」は本願補正発明の「遊技盤」に相当する。そして、引用発明の「弾球遊技機」は、本願補正発明の「遊技者によって遊技される遊技機」に相当することは明らかである。
（ｂ）引用発明の「表示器」、「主表示装置６４１」は、それぞれ本願補正発明の「第１表示画面」、「第１画像表示器」に相当する。
（ｃ）引用発明の「遊技者により、副表示装置の移動制御あるいは副表示装置の画像表示制御を実行可能な押しボタンスイッチ１３５」は、本願補正発明の「遊技者の入力操作を受け付ける入力手段」に相当する。
（ｄ）引用発明の「副表示装置６５１」は本願補正発明の「第２画像表示器」に相当し、「第２表示画面」を有していることは明らかであるから、引用発明の「ボタンスイッチ１３５の操作により、駆動装置によって主表示装置６４１に沿って、左右、上下に移動可能である副表示装置６５１」は、本願補正発明の「第２表示画面を有し、前記入力手段により受け付けられた入力操作に応じて、駆動手段からの駆動力を受けて前記第１表示画面に沿って移動する第２画像表示器」に相当する。
（ｅ）引用発明の副表示装置６５１が主表示装置６４１の変動表示する特別図柄Ｄ１，Ｄ３，Ｄ２の所定の特別図柄の位置に移動するためには、移動位置を判定する必要があることは明らかである。そして、引用発明の「疑似図柄Ｄ４」は「所定の特別図柄」に関連することは明らかであるから、引用発明の「所定の特別図柄の停止位置において疑似図柄Ｄ４」を表示することは、本願補正発明の「装飾図柄の停止する図柄に関連する画像であるサブ画像」を表示することに相当する。
　したがって、引用発明の「副表示装置６５１は位置検出スイッチ７５２や押しボタンスイッチ１３５の信号により、主表示装置６４１の変動表示する特別図柄Ｄ１，Ｄ３，Ｄ２の所定の特別図柄の位置に移動し、所定の特別図柄の停止位置において疑似図柄Ｄ４を表示させる手段を備え、」は、本願補正発明の「前記第２表示画面の位置が、前記第１表示画面に変動表示されている装飾図柄との位置関係において所定の位置であるか否かを判定する位置判定手段と、前記位置判定手段によって前記所定の位置であると判定された場合に、前記変動表示されている装飾図柄の停止する図柄に関連する画像であるサブ画像を、前記第２表示画面に表示させる表示制御手段」と備えることに相当する。
　そして、引用発明の「前記所定の特別図柄」、すなわち「変動表示する特別図柄のうち最後に停止する特別図柄」は、本願補正発明の「複数の変動表示されている装飾図柄のうち最後に停止する装飾図柄」に相当する。
（ｆ）引用発明の「操作すること勧める画面Ｔの表示により、遊技者にボタンスイッチ１３５の操作により副表示装置６５１が画像表示制御されることを報知する」ことと、本願補正発明の「前記入力手段により受け付けられた入力操作に応じて前記第２画像表示器が移動可能であることを報知する」ことは「入力手段により受け付けられた入力操作に応じて第２画像表示器に関した報知」をする手段を有する点で共通する。
　そうすると、両者は、
「遊技盤を有し、遊技者によって遊技される遊技機であって、
　第１表示画面を有し、前記遊技盤に固定された第１画像表示器と、
　遊技者の入力操作を受け付ける入力手段と、
　第２表示画面を有し、前記入力手段により受け付けられた入力操作に応じて、駆動手段からの駆動力を受けて前記第１表示画面に沿って移動する第２画像表示器と、
　前記第２表示画面の位置が、前記第１表示画面に変動表示されている装飾図柄との位置関係において所定の位置であるか否かを判定する位置判定手段と、
　前記位置判定手段によって前記所定の位置であると判定された場合に、前記変動表示されている装飾図柄の停止する図柄に関連する画像であるサブ画像を、前記第２表示画面に表示させる表示制御手段と、
　前記入力手段により受け付けられた入力操作に応じて第２画像表示器に関した報知をする報知手段とを備え、
　前記変動表示されている装飾図柄は、複数の変動表示されている装飾図柄のうち最後に停止する装飾図柄である、遊技機。」
である点で一致しており、次の点で相違する。
（相違点１）
　入力手段により受け付けられた入力操作に応じて第２画像表示器に関した報知をする報知手段について、本願補正発明は、第２画像表示器が移動可能であることを報知するのに対し、引用発明は第２画像表示器（副表示装置６５１）の表示制御を報知する点。
（相違点２）
　本願補正発明において、サブ画像は、前記変動表示されている装飾図柄が大当たり発生を報知する図柄で停止する確率を示す画像であるのに対し、引用発明のサブ画像は疑似図柄の画像であり、大当たり発生を報知する図柄で停止する確率を示す画像について特定されていない点。
（４）判断
　まず、相違点１について検討する。
　刊行物１には、（２−１）（イ）によれば、「副表示装置の移動制御または副表示装置の画像表示制御を操作可能とする操作スイッチたる押しボタンスイッチ１３５が」と記載され、押しボタンスイッチ１３５は副表示装置の移動制御や画像表示制御を操作可能とするものである。
　したがって、この記載に基づけば引用発明の報知手段において、第２画像表示器（副表示装置６５１）が画像表示制御されることの報知に加えて移動制御されることの報知も行うことは当業者にとって容易なことであり、移動制御されることの一例として移動可能であることの報知を行うこと、すなわち前記相違点１に係る本願補正発明の構成にすることは当業者なら容易になし得ることである。
　次に、相違点２について検討する。
　刊行物２には、上記（２−２）（ア）によれば、パチンコ遊技機１において、第１画像表示装置５Ａとは別個に、複数種類の演出画像（第２の演出画像）を含む各種画像の表示を行う第２画像表示装置５Ｂが設けられていることが記載されている。そして、上記（２−２）（イ）によれば、「大当り予告＃２の表示動作では、第２画像表示装置５Ｂの表示画面に、第１画像表示装置５Ａで行われている飾り図柄の可変表示におけるリーチの信頼度を報知する文字情報を表示させる。」と記載されている。
　第２画像表示装置５Ｂはサブ画像を表示するものといるから、結局、刊行物２には、サブ画像として、変動表示されている装飾図柄が大当たり発生を報知する図柄で停止する確率を示す画像が記載されている。
　そして、引用発明のサブ画像の疑似図柄の画像も大当たりを示唆するものといえるから、この疑似図柄に代えて刊行物２に記載の画像を表示し、前記相違点２に係る本願補正発明の構成にすることは当業者が容易になし得ることである。
　そして、本願補正発明の作用効果は引用発明、刊行物２に記載された事項からみて格別なものではない。
　したがって、本願補正発明は引用発明及び刊行物２に記載された事項に基づいて当業者が容易に発明できたものであり、特許法第２９条第２項の規定に基づいて特許出願の際独立して特許を受けることができない。
（５）むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正（平成２７年２月２日付け手続補正）は、上記第２のとおり却下されたので、本願の請求項１に係る発明（以下、「本願発明」という。）は、平成２６年４月８日付けの手続補正書により補正された、上記第２の１．で前述した特許請求の範囲の請求項１に記載された事項により特定されるとおりのものである。
１．刊行物
　原査定の拒絶の理由に引用された刊行物１の記載事項、引用発明は、上記第２の３．（２）に記載したとおりである。
　
２．対比・判断
　本願発明は、本願補正発明の発明特定事項から、上記第２の１．の下線部の
「前記変動表示されている装飾図柄は、複数の変動表示されている装飾図柄のうち最後に停止する装飾図柄であり、
　前記サブ画像は、前記変動表示されている装飾図柄が大当たり発生を報知する図柄で停止する確率を示す画像であ」
という構成を省いたものである。そして、この構成は前記第２の３（３）の相違点２に相当するものである。
　
　そこで、本願発明と引用発明を対比すると、両者は前記第２の３（３）の相違点１において相違し、残余の点で一致する。
　そして、相違点１については、前記第２の３（４）で検討したとおりであり、相違点１に係る本願発明の構成は引用発明に基づき当業者が容易になし得るものである。
　したがって、本願発明は引用発明に基づいて当業者が容易に発明できたものである。
　
３．むすび
　以上のとおり、本願発明は、特許法第２９条第２項の規定に基づいて特許を受けることができないものである。
　したがって、本願は拒絶すべきである。　
　よって、結論のとおり審決する。